(57)【要約】【課題】使用者にメンテナンスの負担の少ない、水処理装置用カートリッジの性能変化を測定可能とする水処理装置用カートリッジを提供する。【解決手段】本発明の浄水カートリッジは、浄水モジュール１１と、原水供給部１２と、浄水出水部１６と、原水の水質を測定するための電極１４と、浄水の水質を測定するための電極１８と、を備える。【選択図】図１
2020138170.tif 000002
【特許請求の範囲】
【請求項１】
原水を浄化する浄水部と、
原水を前記浄水部に供給する原水供給部と、
前記浄水部で浄化された浄水を外部に出水する浄水出水部と、
前記原水供給部内を通る原水の水質を測定するための第１のセンサと、
前記浄水出水部内を通る浄水の水質を測定するための第２のセンサと、
を備える浄水カートリッジ。
【請求項２】
前記原水供給部は、外部から原水を供給する外部原水供給部と接続する第１の接続部を備え、
前記浄水出水部は、外部に出水した浄水を受け取る外部浄水受取部と接続する第２の接続部と、を備え、
前記第１のセンサは前記第１の接続部に取り付けられており、
前記第２のセンサは前記第２の接続部に取り付けられている、請求項１に記載の浄水カートリッジ。
【請求項３】
前記第１の接続部及び前記第２の接続部のうち少なくとも一方は着脱可能である、請求項２に記載の浄水カートリッジ。
【請求項４】
請求項１〜３のいずれか１項に記載の浄水カートリッジと、
前記第１のセンサ及び前記第２のセンサに接続されている、水質の測定器と、
を備える浄水システム。
【請求項５】
前記測定器は、前記第１のセンサ及び前記第２のセンサのうち、測定対象のセンサを選択する制御を行なう第１の制御部を備える、請求項４に記載の浄水システム。
【請求項６】
前記測定器は、第２の制御部を備え、前記第２の制御部は、
前記第１のセンサによる原水の測定を行った時点より後の時点の第１時点以降、前記浄水部を格納する筐体の容積と同じ容積の通水があった時点以降の時点である第２時点までの時点のうち、予め設定された時点の前記第２のセンサによる測定の結果を当該原水を浄化した浄水の測定結果として対応付けるように前記測定器を制御する、請求項４又は５に記載の浄水システム。
【請求項７】
前記第２の制御部は、
前記第１時点を前記第１のセンサによる原水の測定を行った時点とし、
前記予め設定された時点を、当該第１時点から、前記浄水部を格納する筐体の容積と同じ容積の通水があった時点として、当該予め設定された時点の前記第２のセンサによる測定の結果を当該原水を浄化した浄水の測定結果として対応付けるように前記測定器を制御する、請求項６に記載の浄水システム。
【請求項８】
前記第２の制御部は、前記第２のセンサによる測定の結果を、浄水の水質の測定結果として表示部に出力する制御を行なう、請求項６又は７に記載の浄水システム。
【請求項９】
前記測定器とは別体のコンピュータに、前記第１のセンサ及び前記第２のセンサによる測定結果を送信する送信部を備える、請求項４〜７のいずれか１項に記載の浄水システム。
【発明の詳細な説明】
【技術分野】
【０００１】
本発明は、浄水カートリッジに関する。
【背景技術】
【０００２】
水処理装置において、ｐＨ、導電率、酸化還元電位（ＯＲＰ）、総溶解固形分（ＴＤＳ）、溶存酸素、塩分濃度、温度等、処理前と処理後との水質等を測定するために処理水に電極等を接触させる技術が知られている。
【０００３】
また、水処理装置のカートリッジ（フィルター）の性能低下を、水質を測定することで判断することも知られている。測定項目に関しては、水素イオン濃度（ｐＨ）、電気伝導度、比抵抗等、水処理カートリッジの処理対象成分に応じた方法が知られている。また、判断方法については、処理前後の水質の差分であったり、変化率であったり、また事前に検量線を作成し処理水の水質から性能低下を判断したりする方法が知られている。
【０００４】
例えば、特許文献１では、水処理用フィルターの入口と出口の流路内にｐＨ計測用の電極を配し、原水と処理水とのｐＨ差を測定している。
【先行技術文献】
【特許文献】
【０００５】
【特許文献１】特開２００２‐２８６４７号公報
【発明の概要】
【発明が解決しようとする課題】
【０００６】
しかし、水質測定用の電極等は、寿命及び劣化等により交換を要するが、通水経路中に水質測定用の電極等を配すると、交換等、メンテナンスが面倒であり、劣化等に気付かず誤った測定を続けてしまう虞もあった。
【０００７】
また、水質測定に詳しい者であれば維持管理に特に配慮することも考えられる。しかし、一般家庭で用いられるような少量で汎用性の高い水処理装置用カートリッジに水質測定機能を付随させた場合、水質測定器の測定精度の維持管理を、一般家庭での使用者が実施するのは困難である。
【０００８】
本発明は、一般家庭用のように処理量が少量の小規模な水処理装置であっても、使用者にメンテナンスの負担の少ない、水処理装置用カートリッジの性能変化を測定可能とする水処理装置用カートリッジを提供する。
【課題を解決するための手段】
【０００９】
本発明の浄水カートリッジの一態様は、原水を浄化する浄水部と、原水を前記浄水部に供給する原水供給部と、前記浄水部で浄化された浄水を外部に出水する浄水出水部と、
前記原水供給部内を通る原水の水質を測定するための第１のセンサと、前記浄水出水部内を通る浄水の水質を測定するための第２のセンサと、を備える。
【００１０】
また、本発明の浄水システムの一態様は、本発明の浄水カートリッジの一態様と、前記第１のセンサ及び前記第２のセンサに接続されている測定器と、を備える。
【発明の効果】
【００１１】
本発明によれば、一般家庭用のように処理量が少量の小規模な水処理装置であっても、使用者にメンテナンスの負担の少ない、水処理装置用カートリッジの性能変化を測定可能とする水処理装置用カートリッジを提供することができる。
【図面の簡単な説明】
【００１２】
【図１】本発明の実施形態１に係る浄水システムの模式図である。
【図２】本発明の実施形態２に係る浄水システムの模式図である。
【発明を実施するための形態】
【００１３】
〔実施形態１〕
以下、本発明の一実施形態について、図１を用いて説明する。図１は浄水システム１００の構成を示す模式図である。図１に示すように、浄水システム１００は、浄水カートリッジ１０及び測定器３０を備えている。浄水カートリッジ１０は、筐体２０、原水供給部１２、浄水出水部１６を備えている。
【００１４】
（浄水カートリッジ１０）
筐体２０は、浄水モジュール１１（浄水部）を格納するためのものである。また、筐体２０に原水供給部１２、浄水出水部１６が設けられている。筐体２０内には原水供給部１２を介して原水が供給される。また、筐体２０内で浄化されて得られる浄水は浄水出水部１６を介して外部に出される。
【００１５】
浄水モジュール１１は原水を浄化するものである。本実施形態では、原水を浄化するための水の改質剤が、浄水モジュール１１の筐体内に包含されている。水の改質剤としては例えばろ材が挙げられる。
【００１６】
浄水モジュール１１の側壁は、原水を通過させることが可能な構成となっている。係る構成としては、例えば、ろ材が通過し難い大きさのスリットや孔が挙げられる。
【００１７】
浄水モジュール１１は、浄水出水部１６と接続されている。浄水モジュール１１内で浄化された水は浄水出水部１６に送られる。また、本実施形態では、筐体２０中に浄水モジュール１１用の筐体をさらに設けてその中に後述のろ材を充填させているが、このような形態には限定されない。筐体２０中に直接ろ材を充填してもよい。このような形態の場合、当該筐体２０が浄水モジュール（浄水部）となる。また、このような形態の場合、浄水出水部１６又は筐体２０の浄水の出口側に、吸着剤が筐体２０から漏出することを抑制する部材を設けることがより好ましい。このような部材としては例えばメッシュ等が挙げられる。
【００１８】
ろ材としては、例えば、従来公知の水の浄化に用いられるものを用いればよく、吸着剤、中空糸膜等が挙げられる。ろ材は一種類のみでもよく、複数種類を併用してもよい。
【００１９】
吸着剤としては、例えば、粉末状吸着剤、この粉末吸着剤を造粒した粒状吸着剤、繊維状吸着剤などが挙げられる。具体的に吸着剤としては、粉末状吸着剤、この粉末吸着剤を造粒した粒状吸着剤、繊維状吸着剤などが挙げられる。このような吸着剤としては、例えば、天然物系吸着剤（天然ゼオライト、銀ゼオライト、酸性白土等）、合成物系吸着剤（合成ゼオライト、細菌吸着ポリマー、ヒドロキシアパタイト、モレキュラーシーブ、シリカゲル、シリカアルミナゲル系吸着剤、多孔質ガラス、ケイ酸チタニウム等）などの無機質吸着剤；粉末状活性炭、粒状活性炭、繊維状活性炭、ブロック状活性炭、押出成形活性炭、成形活性炭、分子吸着樹脂、合成物系粒状活性炭、合成物系繊維状活性炭、イオン交換樹脂(カチオン交換樹脂、アニオン交換樹脂)、イオン交換繊維、キレート樹脂、キレート繊維、高吸収性樹脂、高吸水性繊維、吸油性樹脂、吸油剤などの有機系吸着剤等、公知のものが挙げられる。中でも、抗菌性のある銀添着活性炭を有することが望ましい。特に粒状の吸着剤を用いる場合、その粒度分布は０．２ｍｍ〜２．０ｍｍが好ましい。この範囲であれば、ろ材の通水抵抗が十分小さく、流速が良好であり、また、十分な表面積であることから良好な除去性能が実現する。
【００２０】
中空糸膜としては、種々の多孔質かつ管状の中空糸膜が使用でき、例えば、セルロース系、ポリオレフィン（ポリエチレン、ポリプロピレン）系、ポリビニルアルコール系、エチレン・ビニルアルコール共重合体、ポリエーテル系、ポリメタクリル酸メチル（ＰＭＭＡ）系、ポリスルフォン系、ポリアクリロニトリル系、ポリ四弗化エチレン系、ポリビニリデンフロライド（ＰＶＤＦ）系、ポリカーボネイト系、ポリエステル系、ポリアミド系、芳香族ポリアミド系、等の各種材料からなるものが使用できる。中でも、中空糸膜の取扱性や加工特性等を考慮すると、ポリエチレンやポリプロピレン等のポリオレフィン系の中空糸膜が好ましい。
【００２１】
原水供給部１２は原水を浄水モジュール１１に供給するものである。原水供給部１２は、原水入り口ホース４１（外部原水供給部）と接続され得る。原水入り口ホース４１は、例えば、一般家庭の上水が通る通水管（ホース）である。原水供給部１２は、原水入り口ホース４１から供給される原水を浄水モジュール１１に供給する。
【００２２】
原水供給部１２は、カプラ１３（第１の接続部）、電極１４（第１のセンサ）、管１５を備えている。カプラ１３は原水入り口ホース４１と原水供給部１２との接続部である。カプラ１３は管１５に対して着脱可能である。これにより、原水入り口ホース４１と浄水カートリッジ１０との接続を容易にできる。
【００２３】
電極１４は原水供給部１２内を通る原水の水質を測定するための電極である。電極１４は原水供給部１２の管１５内を通る原水に接触する位置に配置されている。電極１４の種類、材質は特に限定されず、測定項目等に応じて適宜選択すればよい。電極１４と、後述の電極１８とを用いて水質の測定をすることができる。例えば、電極１４と電極１８との間には電位差からｐＨを求めることができる。また、例えば、電気信号に基づいて測定可能な、導電率、ＯＲＰ、ＴＤＳ、溶存酸素、塩分濃度等を測定するための従来公知の電極を用いてもよい。これにより、浄水モジュール１１の性能が劣化しているかどうか判断することができる。このように、本発明においては、第１のセンサ及び第２のセンサとして、ｐＨ、導電率、ＯＲＰ、ＴＤＳ、溶存酸素、塩分濃度、温度等の水質を測定可能な様々な、電極、プローブ、温度計等のセンサを採用し得る。
【００２４】
浄水出水部１６は浄水モジュール１１で浄化された浄水を外部に出水するものである。浄水出水部１６は、浄水出口ホース４２（外部浄水受取部）と接続され得る。浄水出口ホース４２は、例えば、一般家庭の上水が通る通水管（ホース）であり、使用者は浄水出口ホース４２を介して浄水を得ることができる。
【００２５】
浄水出水部１６は、カプラ１７（第２の接続部）、電極１８（第２のセンサ）、管１９を備えている。カプラ１７は浄水出口ホース４２と浄水出水部１６との接続部である。カプラ１７は管１９に対して着脱可能である。これにより、浄水出口ホース４２と浄水カートリッジ１０との接続を容易にできる。なお、本実施形態ではカプラ１３もカプラ１７も浄水カートリッジ１０に対して着脱可能である形態について説明する。これらのいずれにも着脱可能である形態がより好ましいが、いずれかが着脱可能であってもよく、いずれも着脱可能でなくてもよい。
【００２６】
電極１８は浄水出水部１６内を通る浄水の水質を測定するための電極である。電極１８は浄水出水部１６の管１９内を通る浄水に接触する位置に配置されている。電極１８の材質等については電極１４と同様である。また、電極１８は電極１４と同じ材質にすることがより好ましい。
【００２７】
このように、本発明の一態様では浄水カートリッジ１０に、電極等の測定器のセンサ（水に接触する部分）が一体的に取付けられている。従って、センサの交換が容易である。具体的にはカートリッジを交換することでセンサも自ずと新しいものに交換される。よって、測定の信頼性は向上し、また、ろ材等の水処理材の性能の変化及び劣化を監視するためのメンテナンスが、一般家庭の使用者にとっても容易となる。
【００２８】
ここで、浄水カートリッジ１０内の原水及び浄水の移動の流れについて説明する。まず、原水入り口ホース４１から浄水カートリッジ１０に供給される原水は、原水供給部１２を通過する。より詳細には、まずカプラ１３を通して管１５を通過する。管１５を通過する途中で電極１４と接触する。これにより、原水の水質を測定することができる。原水は図１の管１５の直下に示す矢印の方向に移動して、筐体２０内に供給される。筐体２０内の原水は浄水モジュール１１の側壁を通過して、浄水モジュール１１内に入る。ここで、上述したろ材等によって浄化されて浄水となる。浄水は、図１の浄水モジュール１１の上方に示す矢印の方向に移動して、浄水出水部１６内に入る。浄水は管１９を通過する途中で電極１８と接触する。これにより、浄水の水質を測定できる。浄水はカプラ１７内を通過して、浄水出口ホース４２に供給される。使用者は浄水出口ホース４２から浄水を取り出し、利用することができる。
【００２９】
（測定器３０）
測定器３０は、水質を測定するための測定器である。測定器３０は電極１４及び電極１８に接続されている。これにより、電極１４の接触する原水及び電極１８の接触する浄水の水質を測定することができる。測定器３０は制御部３１、送信部３２を備えている。
【００３０】
制御部３１は、電極１４及び電極１８のうち、測定対象のセンサ（電極）を選択する制御を行なう。例えば、原水及び浄水の水質をそれぞれ測定する場合、通常、各々水質測定器に接続するため、２台の測定器が必要となる。しかし、本発明の一態様によれば、適宜、測定対象の水質を示す信号を原水側と浄水側とからのいずれの入力信号とするかを選択することができるので、測定器を１台とすることができる。また、電極１４及び電極１８共に接続した１台の測定器とすることで、原水と浄水との水質の比較を容易に行うことができる。また、制御部３１は電極１４及び電極１８を用いて、原水及び浄水の水質を同時に測定してもよい。制御部３１の機能は、例えばＲＡＭやフラッシュメモリなどの記憶装置に記憶されたプログラムをＣＰＵ（Ｃｅｎｔｒａｌ  Ｐｒｏｃｅｓｓｉｎｇ  Ｕｎｉｔ）が実行することによって実現される。
【００３１】
制御部３１は、電極１４による原水の測定を行った時点より後の時点の第１時点以降、浄水モジュール１１を格納する筐体２０の容積と同じ容積の通水があった時点以降の時点である第２時点までのうち、予め設定された時点の前記第２のセンサによる測定の結果を当該原水を浄化した浄水の測定結果として対応付けるように前記測定器を制御してもよい。通水時に、このようなタイミングで電極１８の測定を行って、電極１４の測定値と電極１８の測定値とを対応付けることにより、浄水モジュール１１を通過する前後での水質をより正確に測定することができる。つまり、電極１８で測定した浄水に由来する原水の水質が、電極１４で測定した原水の水質により近くなる。電極１８で測定した浄水が由来する原水が、電極１４で測定した原水となる確率が高くなるともいえる。また、このようなタイミングで測定することにより、浄水モジュール１１による水質の変化を正確に測定できる。このような形態は、例えば、水質が不安定な場合、筐体２０内の通水中に水質に変化する可能性がある場合にも有益である。また、これにより、浄水カートリッジ１０の使用者や、浄水カートリッジ１０の提供者、メンテナンスの運営者が、改質剤の処理状況をより正確に把握でき、交換時期等のメンテナンス管理をより正確に行うことができる。このような制御は常時行ってもよく、使用者の所望のタイミングや、制御部３１に予め設定されたタイミングに従ってもよい。
【００３２】
制御部３１が浄水モジュール１１に通水があったときを判定する方法や、通水量を判定する方法は特に限定されず、例えば、原水入り口ホース４１から浄水出口ホース４２までの水の経路上のいずれかに流量計を配置して、流量計の計測データを制御部３１が受信することで、これらの判定をしてもよい。また、浄水モジュール１１内の残り水が全て通水される予測時間を予め設定し、各回通水時に予測時間経過を制御部３１が判定して、予測時間経過後に電極１８にて測定を開始するようにしてもよい。このような場合も、制御部３１は、通水開始の情報を、電極１４、電極１８、又は適宜設けた流量計等から判定してもよい。
【００３３】
「第１時点」は第１のセンサによる原水の測定を行った時点以降であればいつでもよく、所望の正確性に応じて適宜選択すればよい。「第２時点」は、第１時点以降に筐体の容積と同じ容積の通水があった時点以降の時点であればいつでもよく、所望の正確性に応じて適宜選択すればよい。「第１時点」、「第２時点」共に、筐体２０の容積と同じ容積の通水があった時点に近ければ近いほど正確である。つまり、浄水の測定結果とする電極１８による測定を行なう「予め設定された時点」は、筐体２０の容積と同じ容積の通水があった時点とすることがより好ましい。つまり、制御部３１は、「第１時点」を電極１４による原水の測定を行った時点とし、「予め設定された時点」を、電極１４による原水の測定を行った時点から、筐体２０の容積と同じ容積の通水があった時点として、当該時点の電極１８による測定の結果を当該原水を浄化した浄水の測定結果として対応付けるように測定器３０を制御することがより好ましい。例えば、筐体２０の容積分の水が筐体２０を通過するために、ｎ秒（ｎは０以上の数）かかるようであれば、電極１４で原水の測定を行った時点ｔに対して、時点ｔ＋ｎの電極１８での浄水の測定結果を、当該原水を浄化した浄水の測定結果として対応付ければよい。このような形態であれば、電極１４で測定してから、筐体２０の容積分の水が入れ替わるタイミングで電極１８で測定することになる。このようなタイミングで測定することにより、浄水モジュール１１による水質の変化をさらに正確に測定できる。なお、「予め設定された時点」は、メモリ等の記憶媒体に記憶させておけばよく、制御部３１は適宜記憶媒体に「予め設定された時点」を読み取ればよい。
【００３４】
また、「原水を浄化した浄水の測定結果として対応付ける」方法は特に限定されない。例えば、当該原水の測定結果と、当該浄水の測定結果とを関連付けてメモリ等の記憶媒体に記録してもよく、当該浄水の測定結果が、どのような水質（測定結果）の原水であったかを使用者が視認できる態様で表示部（図示せず）に表示させてもよい。表示部は測定器３０に設けてもよく、測定器３０に接続された別体のものであってもよい。
【００３５】
また、制御部３１は、電極１８による測定の結果を表示部に出力する制御を行ってもよい。水質の測定結果の出力先は、例えば、測定器３０に適宜設けた表示部や、測定器３０と接続した別体の表示部として、制御部３１は、測定結果をこれらの表示部に表示させてもよい。また、本実施形態では、本発明における第１の制御部、第２の制御部を同じ制御部３１で行う形態について説明したが、これらの制御は別々の制御部で行ってもよい。また、制御部３１は、従来公知のプロセッサ、例えば、ＣＰＵ（Central Processing Unit）、ＭＰＵ（Micro-processing unit）等を含んで構成されればよい。
【００３６】
送信部３２は、測定器３０とは別体のコンピュータ（以下、「外部コンピュータ」という）に電極１４及び電極１８による測定結果を送信するためのものである。送信部３２は有線接続又は無線接続された外部コンピュータ（図示せず）に測定結果を送信する。なお、送信部３２はインターネット接続するためのものであってもよく、外部コンピュータはインターネット接続されたサーバ等であってもよい。浄水カートリッジ１０の設置された家庭等から離れた外部で、測定データを受信することにより、例えば、浄水カートリッジの提供者、メンテナンスの運営者がデータ処理及び管理を容易に行うことができる。
【００３７】
〔実施形態２〕
本発明の他の実施形態について、図２を用いて以下に説明する。なお、説明の便宜上、上記実施形態にて説明した部材と同じ機能を有する部材については、同じ符号を付記し、その説明を繰り返さない。例えば、制御部３１は上記実施形態１と同様の制御が可能である。本実施形態における浄水システム２００は、原水供給部５２及び浄水出水部５６の構成が実施形態１の原水供給部１２及び浄水出水部１６と異なる。
【００３８】
原水供給部５２は、カプラ５３（第１の接続部）及び電極５４（第１のセンサ）を備えている。また、電極５４はカプラ５３に取り付けられている。この点で、カプラ１３とは別の箇所の管１５に電極１４が取り付けられていた実施形態１と異なる。
【００３９】
また、本実施形態における浄水出水部５６は、カプラ５７（第２の接続部）及び電極５８（第２のセンサ）を備えている。また、電極５８はカプラ５７に取り付けられている。この点で、カプラ１７とは別の箇所の管１９に電極１８が取り付けられていた実施形態１と異なる。
【００４０】
本実施形態では、以上のように、浄水カートリッジ１０を原水入り口ホース４１及び浄水出口ホース４２に接続するためのカプラに電極が取り付けられている。換言すれば、カプラと電極とが一体化されている。また、本実施形態では、カプラ５３及びカプラ５７はそれぞれ、浄水カートリッジ１０から着脱可能である。これらの構成により、カプラ５３及びカプラ５７を単独で交換可能であるので、電極の交換が容易になる。カプラを交換すれば電極も新しいものに交換されるからである。
【００４１】
以上のように、本実施形態では、原水供給部５２と浄水出水部５６に、それぞれ電極５４、電極５８を備える、これらの電極の取り外しが可能である形態について説明した。このような形態であれば、適宜、一方（原水又は浄水）の水質を容易に測定することが可能である。さらに、普段測定していなくても、原水入り口ホース４１、浄水出口ホース４２と、浄水カートリッジ１０との間に、カプラ５３、５７（第１、第２の接続部として、ジョイント、コネクタを用いてもよい）を接続したり、組み込んだりすることで、測定器３０にも簡単に接続することが可能であることから、容易に水質を測定することが可能である。
【００４２】
〔付記事項〕
以上のように本発明の浄水カートリッジの一態様は、原水を浄化する浄水部と、原水を前記浄水部に供給する原水供給部と、前記浄水部で浄化された浄水を外部に出水する浄水出水部と、前記原水供給部内を通る原水の水質を測定するための第１のセンサと、前記浄水出水部内を通る浄水の水質を測定するための第２のセンサと、を備える。
【００４３】
本発明の浄水カートリッジの一態様では、前記原水供給部は、外部から原水を供給する外部原水供給部と接続する第１の接続部を備え、前記浄水出水部は、外部に出水した浄水を受け取る外部浄水受取部と接続する第２の接続部と、を備え、前記第１のセンサは前記第１の接続部に取り付けられており、前記第２のセンサは前記第２の接続部に取り付けられていることがより好ましい。
【００４４】
本発明の浄水カートリッジの一態様では、前記第１の接続部及び前記第２の接続部のうち少なくとも一方は、着脱可能であることがより好ましい。
【００４５】
本発明の浄水システムの一態様は、本発明の浄水カートリッジのいずれかの態様と、前記第１のセンサ及び前記第２のセンサに接続されている、水質の測定器と、を備える。
【００４６】
本発明の浄水システムの一態様では、前記測定器は、前記第１のセンサ及び前記第２のセンサのうち、測定対象のセンサを選択する制御を行なう第１の制御部を備えることがより好ましい。
【００４７】
本発明の浄水システムの一態様では、前記測定器は、第２の制御部を備え、前記第２の制御部は前記第１のセンサによる原水の測定を行った時点から、前記浄水部における、原水を浄水にするための改質剤を格納している場所の容積と少なくとも同じ容積の通水があった時点以降、予め設定された所定の時点までのいずれかの時点の前記第２のセンサによる測定の結果を当該原水を浄化した浄水の測定結果として対応付けるように前記測定器を制御を行なうことがより好ましい。
【００４８】
本発明の浄水システムの一態様では、前記第２の制御部は、前記第１時点を前記第１のセンサによる原水の測定を行った時点とし、前記予め設定された時点を、当該第１時点から、前記浄水部を格納する筐体の容積と同じ容積の通水があった時点として、当該予め設定された時点の前記第２のセンサによる測定の結果を当該原水を浄化した浄水の測定結果として対応付けるように前記測定器を制御する、ことがより好ましい。
【００４９】
本発明の浄水システムの一態様では、前記第２の制御部は、前記第２のセンサによる測定の結果を、浄水の水質の測定結果として表示部に出力する制御を行なうことがより好ましい。
【００５０】
本発明の浄水システムの一態様では、前記測定器はとは別体のコンピュータに、前記第１のセンサ及び前記第２のセンサによる測定結果を送信する送信部を備えることがより好ましい。
【産業上の利用可能性】
【００５１】
本発明は、例えば、浄水器に利用することができる。
【符号の説明】
【００５２】
１０  浄水カートリッジ
１１  浄水モジュール（浄水部）
１２、５２  原水供給部
１３、５３  カプラ（第１の接続部）
１７、５７  カプラ（第２の接続部）
１４、５４  電極（第１のセンサ）
１８、５８  電極（第２のセンサ）
１６、５６  浄水出水部
２０  筐体
３０  測定器
３１  制御部（第１の制御部、第２の制御部）
３２  送信部
４１  原水入り口ホース（外部原水供給部）
４２  浄水出口ホース（外部浄水受取部）
１００、２００  浄水システム
【図１】
2020138170.tif 000003
【図２】
2020138170.tif 000004